(57)【要約】【課題】  操作パネルの照明を任意に入り切りできるようにした画像表示装置、テレビ受信装置及びプロジェクタを提供する。【解決手段】  機器本体に設けられた操作パネル１５と、操作パネル１５を機器本体の内側から照明する本体操作パネル照明部１４と、リモートコントローラ１０からのデータに基づいて照明装置をＯＮ又はＯＦＦ制御するＣＰＵ１３を備えたものである。【選択図】        図１
2006229814.tif 000002
【特許請求の範囲】
【請求項１】
機器本体に設けられた操作パネルと、
前記操作パネルを機器本体の内側から照明する照明装置と、
前記リモートコントローラからのデータに基づいて前記照明装置をＯＮ又はＯＦＦ制御する制御手段と
を備えたことを特徴とする画像表示装置。
【請求項２】
前記照明装置は、前記操作パネルの所定の操作ボタンを照明することを特徴とする請求項１記載の画像表示装置。
【請求項３】
前記照明装置をＯＮ又はＯＦＦ制御するためのデータを送信するリモートコントローラを備えたことを特徴とする請求項１又は２記載の画像表示装置。
【請求項４】
表示装置を備え、
前記制御手段は、前記表示装置にメニュー画面を表示させて、前記リモートコントローラによる前記照明装置の制御を有効にするか無効にするかを設定し、有効に設定された場合に前記リモートコントローラからのデータに基づいて前記照明装置をＯＮ又はＯＦＦ制御することを特徴とする請求項１〜３の何れかに記載の画像表示装置。
【請求項５】
前記制御手段は、前記リモートコントローラの機能による前記照明装置の制御が無効に設定された場合には、前記照明装置をＯＮ又はＯＦＦするかについて設定された設定データに基づいて前記操作パネルの照明装置をＯＮ又はＯＦＦ制御することを特徴とする請求項４記載の画像表示装置。
【請求項６】
請求項１〜５の何れかに記載の画像表示装置を搭載したことを特徴とするテレビ受信装置。
【請求項７】
請求項１〜５の何れかに記載の画像表示装置を搭載したことを特徴とするプロジェクタ。
【発明の詳細な説明】
【技術分野】
【０００１】
本発明は、操作ボタンを照明する機能を備えた画像表示装置、テレビ受信装置及びプロジェクタに関し、特に、その照明の制御に関する。
【背景技術】
【０００２】
従来のテレビ受信装置等の操作パネルには、例えば「筺体の第１の表示窓を通して蛍光表示管が表示する数字、文字などの情報を確認すると共に、蛍光表示管３が自ら発光する光の一部を筺体の前面パネル背面に設けた反射板で反射して、筺体の第２の表示窓を通して操作ボタンまたはその周辺を照明するようにした。」（例えば特許文献１）ものが提案されている。そして、この種の操作パネルは電源オンとともに発光し、暗い視聴環境においても操作しやすいようになっているものがある。
【特許文献１】特開平７−２１９４５１号公報
【発明の開示】
【発明が解決しようとする課題】
【０００３】
上記のような従来の操作パネルは画面と近い位置にあるので、画面を視聴中に操作パネルが点灯していると、視聴者が本来の映像に集中できず、煩わしいという問題点がある。特に、暗い場所ではそれが顕著である。
【０００４】
本発明は、このような問題点を解決するためになされたものであり、操作パネルの照明を任意に入り切りできるようにした画像表示装置、テレビ受信装置及びプロジェクタを提供することを目的とする。
【課題を解決するための手段】
【０００５】
本発明に係る画像表示装置は、機器本体に設けられた操作パネルと、前記操作パネルを機器本体の内側から照明する照明装置と、リモートコントローラからのデータに基づいて前記照明装置をＯＮ又はＯＦＦ制御する制御手段とを備えたものである。本発明においては、リモートコントローラからのデータに基づいて照明装置を任意にＯＮ又はＯＦＦすることができるので、必要に応じて照明装置をＯＦＦすることにより視聴者は本来の映像に集中することができる。また、操作パネルを操作する必要があるときには照明装置をＯＮにして操作パネルを照明することにより、暗い視聴環境においても操作しやすいものとなっている。
【０００６】
また、本発明に係る画像表示装置において、前記照明装置は、前記操作パネルの所定の操作ボタンを照明する。
また、本発明に係る画像表示装置は、前記照明装置をＯＮ又はＯＦＦ制御するためのデータを送信するリモートコントローラを備えたものである。
【０００７】
また、本発明に係る画像表示装置は、表示装置を備え、前記制御手段は、前記表示装置にメニュー画面を表示させて、前記リモートコントローラによる前記照明装置の制御を有効にするか無効にするかを設定し、有効に設定された場合に前記リモートコントローラからのデータに基づいて前記照明装置をＯＮ又はＯＦＦ制御する。本発明においては、メニュー画面によりリモートコントローラの機能を有効にするか無効にするかを任意に設定することができるので、必要な場合にだけ照明装置をＯＮ又はＯＦＦ制御するようにすることができる。
【０００８】
また、本発明に係る画像表示装置において、前記制御手段は、前記リモートコントローラの機能が無効に設定された場合には、前記照明装置をＯＮ又はＯＦＦするかについて設定された設定データに基づいて前記操作パネルの照明装置をＯＮ又はＯＦＦ制御する。
【０００９】
また、本発明に係るテレビ受信装置は、上記の画像表示装置を搭載したものである。
また、本発明に係るプロジェクタは、上記の画像表示装置を搭載したものである。
【発明を実施するための最良の形態】
【００１０】
実施形態１．
図１は本発明の実施形態１に係るリアプロジェクタ型テレビ受信装置の構成を示したブロック図である。このテレビ受信装置は、リモートコントローラ（以下リモコンという）１０及びテレビ受信装置本体１１とから構成されており、テレビ受信装置本体１１はリモコンコード受信部１２、ＣＰＵ１３、操作パネル照明部（以下、照明部という）１４、操作パネル１５、表示デバイス１６等を備えており、照明部１４は操作パネル１５の内側に配置されて操作パネル１５の操作ボタンを照明するものである。なお、本実施形態は、操作パネル１５の照明について特徴があり、それに直接関連しない構成は省略してある。また、ＣＰＵ１３は本発明の制御手段に相当するものであり、照明部１４は本発明の照明装置に相当するものである。
【００１１】
図２は図１のテレビ受信装置本体１１の正面図であり、図３は操作パネル１５を示した図である。テレビ受信装置本体１１の画面の下側の中央部に操作パネル１５が設けられている。この操作パネル１５は後述のようにリモコン１０によりその照明が制御されるパワーボタン１７を備えている。
【００１２】
図４はパワーボタン１７及びその周辺部の構造を示した断面図である。テレビ受信装置本体１１の正面側の筐体２１には開口部２１ａが設けられており、その開口部２１ａから突出するようにして操作ボタン２２が設けられている。この操作ボタン２２は透明部材から構成されて、その内壁側に操作ボタンの機能を示す文字（この例ではPowerの文字）が印字されており、弾性部材（図示省略）により開口部２１ａ側に弾性付勢されている。操作ボタン２２の内側には導光板２３が設けられている。導光板２３の内側にはスイッチボタン２４及び発光ダイオード（ＬＥＤ）２５がそれぞれ設けられている。操作ボタン２２が例えば視聴者により押されると、導光板２３を介してスイッチボタン２４が押圧されてスイッチオン信号を発生してＣＰＵ１３に出力する。発光ダイオード２５は、図１の照明部１４を構成するものであり、ＣＰＵ１３から点灯信号が供給されると、点灯して導光板２３を介して操作ボタン２２を照明する。これにより操作ボタン２２の内壁に印字された文字が目視できるようになる。
【００１３】
図５はリモコン１０の正面図である。このリモコン１０はリモコン発光ボタン１０ａを備えており、リモコン発光ボタン１０ａを押すことによりそれ自体の発光及び停止が制御されるとともに、テレビ受信装置本体１１に対して操作パネル照明ＯＮコード又は操作パネル照明ＯＮコードを送信させる。
【００１４】
図６はリモコン１０の操作によりテレビ受信装置本体１１の表示デバイス１６にメニュー画面を表示させた状態を示している。例えば「リモコンによる操作キー照明」という項目については、リモコン１０の操作を機能させて発光ダイオード２５の点灯及び消灯を制御させる場合には「有効」が設定され、リモコン１０の操作を機能させない場合には「無効」が設定される。この設定データはＣＰＵ１３に内蔵されたメモリ１３ａに格納されることになる。なお、リモコン１０の操作を機能させない場合には「無効」が設定されることになるが、その場合には例えば電源がＯＮになったら発光ダイオード２５を点灯させるか又は点灯させないの何れかが設定される。
【００１５】
図７はそのメニュー画面であり、図６のメニュー画面において無効が設定された場合の下層画面として現れ、ＯＮ又はＯＦＦが設定されることになる。ＯＮに設定されると、電源がＯＮに連動して発光ダイオード２５が点灯するが、ＯＦＦに設定されると、電源のＯＮ／ＯＦＦに係わらず発光ダイオード２５は点灯しない。この設定データもＣＰＵ１３に内蔵されたメモリ１３ａに格納されることになる。
【００１６】
図８は操作パネル照明のＯＮ処理のフローチャートであり、この処理は「リモコンによる操作キー照明」について上記の「有効」設定がなされた場合に所定時間間隔で周期的に行われる。
ＣＰＵ１３は、リモコン１０からリモコンコード受信部１２を介して操作パネル照明ＯＮコードを受信したかどうかを判定する（Ｓ１１）。ＣＰＵ１３は、視聴者がリモコン発光ボタン１０ａを押し、操作パネル照明ＯＮコードを受信した場合には操作パネル１５の照明をＯＮにする処理をする（Ｓ１２）。即ち、発光ダイオード２５を点灯して操作ボタン２２を照明する。
【００１７】
図９は操作パネル照明のＯＦＦ処理のフローチャートであり、この処理についても「リモコンによる操作キー照明」について上記の「有効」設定がなされた場合に所定時間間隔で周期的に行われる。
ＣＰＵ１３は、リモコンコード受信部１２を介してリモコン１０から操作パネル照明ＯＦＦコードを受信したかどうかを判定する（Ｓ２１）。ＣＰＵ１３は、視聴者がリモコン発光ボタン１０ａを再度押し、操作パネル照明ＯＦＦコードを受信したという判定をした場合には操作パネルの照明をＯＦＦにする処理をする（Ｓ２２）。即ち、発光ダイオード２５の点灯を停止することにより操作ボタン２２の照明を停止する。
【００１８】
以上のように本実施形態１においては、リモコン１０からのデータに基づいて操作パネル１５の内側に配置された発光ダイオード２５を任意にＯＮ又はＯＦＦすることができるので、必要に応じて操作パネル１５のパワーボタン１７に対する照明を停止させることにより視聴者が本来の映像に集中することができる。また、操作パネル１５を操作する必要があるときには発光ダイオード２５を点灯させることにより、暗い視聴環境においても操作しやすいものとなる。
【００１９】
実施形態２．
なお、上記の実施形態１においてはリアプロジェクタ型テレビ受信装置の例について説明したが、他の形式のテレビ受信装置でもよく、また、プロジェクタにも同様に適用することができる。
【図面の簡単な説明】
【００２０】
【図１】本発明の実施形態１に係るリアプロジェクタ型テレビ受信装置の構成を示したブロック図。
【図２】テレビ受信装置本体の正面図。
【図３】操作パネルを示した図。
【図４】パワーボタン及びその周辺部の構造を示した断面図。
【図５】リモコンの正面図。
【図６】メニュー画面を示した図（その１）。
【図７】メニュー画面を示した図（その２）。
【図８】操作パネル照明のＯＮ処理のフローチャート。
【図９】操作パネル照明のＯＦＦ処理のフローチャート。
【符号の説明】
【００２１】
１０ リモコン、１０ａ リモコン発光ボタン、１１ テレビ受信装置本体、１２ リモコンコード受信部、１３ ＣＰＵ、１４ 照明部、１５ 操作パネル、１６ 表示デバイス、１７ パワーボタン、２１ 筐体、２２ 操作ボタン、２３ 導光板、２４ スイッチボタン、２５ 発光ダイオード。
【図１】
2006229814.tif 000003
【図２】
2006229814.tif 000004
【図３】
2006229814.tif 000005
【図４】
2006229814.tif 000006
【図５】
2006229814.tif 000007
【図６】
2006229814.tif 000008
【図７】
2006229814.tif 000009
【図８】
2006229814.tif 000010
【図９】
2006229814.tif 000011